(57)【要約】【課題】トラックピッチを光スポットの分解能に基づく遮断周波数より高い周期にしても、トラッキングエラー信号を生成できるようにする。【解決手段】光ディスク１は、環状に形成されたトラックに形成されたピット２によって情報が記録される。光ディスク１は、全ての記録トラックに対して連続するグルーブ３又はランド４が形成される。グルーブ３とランド４との光学的深さの差が、レーザビームの波長λに対して略λ／８になるようにされる。グルーブ３（またはランド４）の間隔は、トラックピッチの２倍とし、グルーブ３及びランド４に夫々ピット２を形成する。ディスクの情報記録面に照射されたレーザ光の戻り光を２分割光検出器で検出することで、トラック毎に反転したトラッキングエラー信号が生成される。光学的な遮断周波数よりも高い周期のトラックピッチでトラックが配置されても、トラッキングを行うことができる。【選択図】  図１
2004227652.tif 000002
【特許請求の範囲】
【請求項１】
ディスク基板上の情報記録面に所定のトラックピッチで環状にトラックが設けられた光ディスクにおいて、
トラックは、グルーブおよび該グルーブに対して光学的深さが異ならされたランドに沿って形成され、上記グルーブおよび上記ランドに沿った上記トラックのそれぞれに記録データに基づくピットを形成するようにしたことを特徴とする光ディスク。
【請求項２】
請求項１に記載の光ディスクにおいて、
上記グルーブおよび上記ランドは、トラッキング時に情報記録面に照射されるレーザ光の波長λに対して、ｎを自然数としたとき、略（２ｎ−１）×λ／８だけ、上記光学的深さが異ならされることを特徴とする光ディスク。
【請求項３】
請求項１に記載の光ディスクにおいて、
上記トラックは、トラッキング時に情報記録面に照射されるレーザスポット光の光学的な遮断周波数より高いピッチで配置されることを特徴とする光ディスク。
【請求項４】
ディスク基板上の情報記録面に所定のトラックピッチで環状にトラックが設けられた光ディスクを作成する光ディスク作成方法において、
トラックは、グルーブおよび該グルーブに対して光学的深さが異ならされたランドに沿って形成され、上記グルーブおよび上記ランドに沿った上記トラックのそれぞれにピットを形成することを特徴とする光ディスク作成方法。
【請求項５】
ディスク基板上の情報記録面に所定のトラックピッチで環状にトラックが設けられた光ディスクに記録データを記録する光ディスク記録装置において、
レーザ光を記録データで光変調して出力する光変調手段を有し、
トラックは、グルーブおよび該グルーブに対して光学的深さが異ならされたランドに沿って形成され、上記光変調手段から出力された上記レーザ光により上記グルーブおよび上記ランドに沿った上記トラックのそれぞれにピットを形成することで上記記録データを記録するようにしたことを特徴とする光ディスク記録装置。
【請求項６】
ディスク基板上の情報記録面に所定のトラックピッチで環状にトラックが設けられた光ディスクに対してレーザ光を照射し、レーザ光の光ディスクからの戻り光を用いてトラッキングを行い記録データを再生する光ディスク再生装置において、
トラックは、グルーブおよび該グルーブに対して光学的深さが異ならされたランドに沿って形成され、上記グルーブおよび上記ランドに沿った上記トラックのそれぞれに記録データに基づくピットが形成された光ディスクに対してレーザビームを照射するレーザ照射手段と、
上記レーザ照射手段により照射されたレーザ光の上記光ディスクからの戻り光を、受光面が少なくともトラック方向に沿って分割された光検出器を用いて検出する光検出手段と
を有し、
上記光検出手段により検出された、上記受光面の上記分割された領域のそれぞれの受光量の差分に基づく、トラック毎に極性が反転されたトラッキングエラー信号を用いてトラッキングを行うようにしたことを特徴とする光ディスク再生装置。
【請求項７】
ディスク基板上の情報記録面に所定のトラックピッチで環状にトラックが設けられた光ディスクにおいて、
同一平面上に環状に設けられたトラックに対して記録データに基づくピットが設けられ、該ピットは、隣接する該トラック毎に交互に上記平面からの光学的深さが異ならされるように設けられたことを特徴とする光ディスク。
【請求項８】
請求項７に記載の光ディスクにおいて、
上記ピットは、トラッキング時に情報記録面に照射されるレーザ光の波長λに対して、ｎを自然数としたとき、略（２ｎ−１）×λ／８だけ、隣接する上記トラック毎に交互に上記平面からの光学的深さが異ならされることを特徴とする光ディスク。
【請求項９】
請求項７に記載の光ディスクにおいて、
上記トラックは、トラッキング時に情報記録面に照射されるレーザスポット光の光学的な遮断周波数より高いピッチで配置されることを特徴とする光ディスク。
【請求項１０】
ディスク基板上の情報記録面に所定のトラックピッチで環状にトラックが設けられた光ディスクを作成する光ディスク作成方法において、
同一平面上に環状に設けられたトラックに対して、隣接する該トラック毎に交互に上記平面からの光学的深さが異ならされるように、記録データに基づくピットを形成することを特徴とする光ディスク作成方法。
【請求項１１】
ディスク基板上の情報記録面に所定のトラックピッチで環状にトラックが設けられた光ディスクに記録データを記録する光ディスク記録装置において、
レーザ光を記録データで光変調して出力する光変調手段を有し、
同一平面上に環状に設けられたトラックに対して、上記光変調手段から出力された上記レーザ光を、隣接する該トラック毎に交互に上記平面からの光学的深さが異ならされるように制御してピットを形成し、上記記録データを記録するようにしたことを特徴とする光ディスク記録装置。
【請求項１２】
ディスク基板上の情報記録面に所定のトラックピッチで環状にトラックが設けられた光ディスクに対してレーザ光を照射し、レーザ光の光ディスクからの戻り光を用いてトラッキングを行い記録データを再生する光ディスク再生装置において、
同一平面上に環状に設けられたトラックに対して記録データに基づくピットが設けられ、該ピットは、隣接する該トラック毎に交互に上記平面からの光学的深さが異ならされるように設けられた光ディスクに対してレーザ光を照射するレーザ照射手段と、
上記レーザ照射手段により照射されたレーザ光の上記光ディスクからの戻り光を、受光面が少なくともトラック方向に沿って分割された光検出器を用いて検出する光検出手段と
を有し、
上記光検出手段により検出された、上記受光面の上記分割された領域のそれぞれの受光量の差分に基づく、トラック毎に極性が反転されたトラッキングエラー信号を用いてトラッキングを行うようにしたことを特徴とする光ディスク再生装置。
【発明の詳細な説明】
【０００１】
【発明の属する技術分野】
この発明は、より狭いトラックピッチでのトラッキングを実現する光ディスク、光ディスク作成方法および光ディスク記録装置、ならびに、光ディスク再生装置に関する。
【０００２】
【従来の技術】
従来より、ディスク型の光記録媒体（以下、単に光ディスクという）においては、情報記録面にスパイラルまたは同心円状に形成された記録トラックに沿って光ピックアップからの光スポットをトラッキングさせ、この光スポットの戻り光を光検出器で検出することにより、情報記録面に形成されたピットを読み取り、情報の記録や再生を行うようになっている。
【０００３】
そして、このようなトラッキングに際し、光ディスクの情報記録面に形成された案内溝としてのグルーブあるいはピットによる光スポットの戻り光を検出することにより、トラッキングエラー信号を生成し、このトラッキングエラー信号に基づいて光ピックアップのトラッキングサーボをかけることにより、適正なトラッキング状態を確保している。
【０００４】
また、近年では、特許文献１に記載されるように、磁気超解像（Ｍａｇｎｅｔｉｃａｌｌｙ  Ｉｎｄｕｓｅｄ  Ｓｕｐｅｒ  Ｒｅｓｏｌｕｔｉｏｎ：ＭＳＲ）と呼ばれる技術を用いてより高密度を実現するディスクが提案されている。
【０００５】
【特許文献１】
特開２０００−２００４４８号公報
【０００６】
【発明が解決しようとする課題】
このようなトラッキングエラー信号の検出方法やトラッキングサーボの方法等については、従来から各種の方式が種々提案され、実用化されている。しかしながら、光ディスクにおける記録情報のトラック方向の密度については、何れの方式においても、光スポットの分解能により制限されるため、ある程度以上の記録密度を実現することができないという問題点があった。
【０００７】
図８は、各種光ディスクのトラックピッチと分解能に関する諸条件を一覧して示す。光源の波長（λ）、対物レンズの開口数（ＮＡ）、カットオフ周波数（本／ｍｍ）、トラックピッチ換算のカットオフ周波数（μｍ）、トラックピッチ設定数（μｍ）、倍率（Ｒａｔｉｏ）の各実数を示している。図８に示されるように、既に実用化されているＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＭＤ（Ｍｉｎｉ  Ｄｉｓｃ：登録商標）においては、光学的カットオフのトラックピッチ換算値に対して十分な振幅が得られるように、トラックピッチに１．３倍以上のピッチ設定がなされている。
【０００８】
ところが、より高密度記録を目指したＨＤ−ＲＯＭ（Ｈｉｇｈ  Ｄｅｎｓｉｔｙ−Ｒｅａｄ  Ｏｎｌｙ  Ｍｅｍｏｒｙ）などでは、トラックピッチとして、例えばトラックピッチ換算カットオフ周波数〔０．８６７（μｍ）〕に対して比率が１未満の、〔０．８（μｍ）〕が設定される。この場合、トラックによるカットオフ周波数が光スポットの分解能に基づくカットオフ周波数を上回る密度となる。これは、このようなトラックピッチでは、トラッキングの際にトラッキングエラー信号が検出されず、トラッキングが行えないことを示している。
【０００９】
したがって、この発明の目的は、光スポットの分解能に基づくカットオフ周波数を上回る、あるいは、当該カットオフ周波数に近いトラックピッチでトラックを形成しても、トラッキングエラー信号を生成できるような光ディスク、光ディスク作成方法および光ディスク記録装置、ならびに、光ディスク再生装置を提供することにある。
【００１０】
【課題を解決するための手段】
請求項１に記載の発明は、上述した課題を解決するために、ディスク基板上の情報記録面に所定のトラックピッチで環状にトラックが設けられた光ディスクにおいて、トラックは、グルーブおよびグルーブに対して光学的深さが異ならされたランドに沿って形成され、グルーブおよびランドに沿ったトラックのそれぞれに記録データに基づくピットを形成するようにしたことを特徴とする光ディスクである。
【００１１】
また、請求項４に記載の発明は、ディスク基板上の情報記録面に所定のトラックピッチで環状にトラックが設けられた光ディスクを作成する光ディスク作成方法において、トラックは、グルーブおよびグルーブに対して光学的深さが異ならされたランドに沿って形成され、グルーブおよびランドに沿ったトラックのそれぞれにピットを形成することを特徴とする光ディスク作成方法である。
【００１２】
また、請求項５に記載の発明は、ディスク基板上の情報記録面に所定のトラックピッチで環状にトラックが設けられた光ディスクに記録データを記録する光ディスク記録装置において、レーザ光を記録データで光変調して出力する光変調手段を有し、トラックは、グルーブおよびグルーブに対して光学的深さが異ならされたランドに沿って形成され、光変調手段から出力されたレーザ光によりグルーブおよびランドに沿ったトラックのそれぞれにピットを形成することで記録データを記録するようにしたことを特徴とする光ディスク記録装置である。
【００１３】
また、請求項６に記載の発明は、ディスク基板上の情報記録面に所定のトラックピッチで環状にトラックが設けられた光ディスクに対してレーザ光を照射し、レーザ光の光ディスクからの戻り光を用いてトラッキングを行い記録データを再生する光ディスク再生装置において、トラックは、グルーブおよびグルーブに対して光学的深さが異ならされたランドに沿って形成され、グルーブおよびランドに沿ったトラックのそれぞれに記録データに基づくピットが形成された光ディスクに対してレーザビームを照射するレーザ照射手段と、レーザ照射手段により照射されたレーザ光の光ディスクからの戻り光を、受光面が少なくともトラック方向に沿って分割された光検出器を用いて検出する光検出手段とを有し、光検出手段により検出された、受光面の分割された領域のそれぞれの受光量の差分に基づく、トラック毎に極性が反転されたトラッキングエラー信号を用いてトラッキングを行うようにしたことを特徴とする光ディスク再生装置である。
【００１４】
また、請求項７に記載の発明は、ディスク基板上の情報記録面に所定のトラックピッチで環状にトラックが設けられた光ディスクにおいて、同一平面上に環状に設けられたトラックに対して記録データに基づくピットが設けられ、ピットは、隣接するトラック毎に交互に平面からの光学的深さが異ならされるように設けられたことを特徴とする光ディスクである。
【００１５】
また、請求項１０に記載の発明は、ディスク基板上の情報記録面に所定のトラックピッチで環状にトラックが設けられた光ディスクを作成する光ディスク作成方法において、同一平面上に環状に設けられたトラックに対して、隣接するトラック毎に交互に平面からの光学的深さが異ならされるように、記録データに基づくピットを形成することを特徴とする光ディスク作成方法である。
【００１６】
また、請求項１１に記載の発明は、ディスク基板上の情報記録面に所定のトラックピッチで環状にトラックが設けられた光ディスクに記録データを記録する光ディスク記録装置において、レーザ光を記録データで光変調して出力する光変調手段を有し、同一平面上に環状に設けられたトラックに対して、光変調手段から出力されたレーザ光を、隣接するトラック毎に交互に平面からの光学的深さが異ならされるように制御してピットを形成し、記録データを記録するようにしたことを特徴とする光ディスク記録装置である。
【００１７】
また、請求項１２に記載の発明は、ディスク基板上の情報記録面に所定のトラックピッチで環状にトラックが設けられた光ディスクに対してレーザ光を照射し、レーザ光の光ディスクからの戻り光を用いてトラッキングを行い記録データを再生する光ディスク再生装置において、同一平面上に環状に設けられたトラックに対して記録データに基づくピットが設けられ、ピットは、隣接するトラック毎に交互に平面からの光学的深さが異ならされるように設けられた光ディスクに対してレーザ光を照射するレーザ照射手段と、レーザ照射手段により照射されたレーザ光の光ディスクからの戻り光を、受光面が少なくともトラック方向に沿って分割された光検出器を用いて検出する光検出手段とを有し、光検出手段により検出された、受光面の分割された領域のそれぞれの受光量の差分に基づく、トラック毎に極性が反転されたトラッキングエラー信号を用いてトラッキングを行うようにしたことを特徴とする光ディスク再生装置である。
【００１８】
上述したように、請求項１に記載の発明は、トラックは、グルーブおよびグルーブに対して光学的深さが異ならされたランドに沿って形成され、グルーブおよびランドに沿ったトラックのそれぞれに記録データに基づくピットを形成するようにしているため、ディスクの情報記録面に照射されたレーザ光の戻り光を２分割光検出器で検出することで、トラック毎に反転したトラッキングエラー信号が生成される。
【００１９】
また、請求項４に記載の発明は、トラックは、グルーブおよびグルーブに対して光学的深さが異ならされたランドに沿って形成され、グルーブおよびランドに沿ったトラックのそれぞれにピットを形成して光ディスクを作成するようにしているため、この方法で作成された光ディスクの情報記録面に照射されたレーザ光の戻り光を２分割光検出器で検出することで、トラック毎に反転したトラッキングエラー信号が生成される。
【００２０】
また、請求項５に記載の発明は、トラックは、グルーブおよびグルーブに対して光学的深さが異ならされたランドに沿って形成され、レーザ光を光変調したレーザ光によりグルーブおよびランドに沿ったトラックのそれぞれにピットを形成することで記録データを記録するようにしているため、ディスクの情報記録面に照射されたレーザ光の戻り光を２分割光検出器で検出することで、トラック毎に反転したトラッキングエラー信号が生成される。
【００２１】
また、請求項６に記載の発明は、トラックは、グルーブおよびグルーブに対して光学的深さが異ならされたランドに沿って形成され、グルーブおよびランドに沿ったトラックのそれぞれに記録データに基づくピットが形成された光ディスクに対して照射されたレーザ光の光ディスクからの戻り光を、受光面が少なくともトラック方向に沿って分割された光検出器を用いて検出し、受光面の分割された領域のそれぞれの受光量の差分に基づく、トラック毎に極性が反転されたトラッキングエラー信号を用いてトラッキングを行うようにしているため、光学的な遮断周波数よりも高い周期のトラックピッチでトラックが配置されても、トラッキングを行うことができる。
【００２２】
また、請求項７に記載の発明は、同一平面上に環状に設けられたトラックに対して記録データに基づくピットが設けられ、ピットは、隣接するトラック毎に交互に平面からの光学的深さが異ならされるように設けられているため、ディスクの情報記録面に照射されたレーザ光の戻り光を２分割光検出器で検出することで、トラック毎に反転したトラッキングエラー信号が生成される。
【００２３】
また、請求項１０に記載の発明は、同一平面上に環状に設けられたトラックに対して、隣接するトラック毎に交互に平面からの光学的深さが異ならされるように、記録データに基づくピットを形成して光ディスクを作成するようにしているため、この方法で作成された光ディスクの情報記録面に照射されたレーザ光の戻り光を２分割光検出器で検出することで、トラック毎に反転したトラッキングエラー信号が生成される。
【００２４】
また、請求項１１に記載の発明は、レーザ光を記録データで光変調して出力する光変調手段を有し、同一平面上に環状に設けられたトラックに対して、光変調手段から出力されたレーザ光を、隣接するトラック毎に交互に平面からの光学的深さが異ならされるように制御してピットを形成し、記録データを記録するようにしているため、ディスクの情報記録面に照射されたレーザ光の戻り光を２分割光検出器で検出することで、トラック毎に反転したトラッキングエラー信号が生成される。
【００２５】
また、請求項１２に記載の発明は、同一平面上に環状に設けられたトラックに対して記録データに基づくピットが設けられ、ピットは、隣接するトラック毎に交互に平面からの光学的深さが異ならされるように設けられた光ディスクに対して照射されたレーザ光の光ディスクからの戻り光を、受光面が少なくともトラック方向に沿って分割された光検出器を用いて検出し、受光面の分割された領域のそれぞれの受光量の差分に基づく、トラック毎に極性が反転されたトラッキングエラー信号を用いてトラッキングを行うようにしているため、光学的な遮断周波数よりも高い周期のトラックピッチでトラックが配置されても、トラッキングを行うことができる。
【００２６】
【発明の実施の形態】
以下、この発明の実施の第１の形態について、図面を参照しながら説明する。図１は、この発明の実施の第１の形態による光ディスク１の断面の一部を示す。レーザービームは、図の上方から照射される。これは、以下の同様の図面において共通である。この光ディスク１は、情報記録面に同心円状またはスパイラル状にトラックが形成され、トラックに対して設けられたピット２によって情報が記録される。光ディスク１は、全ての記録トラックに対して連続するグルーブ３またはランド４が形成される。
【００２７】
光ディスク１において、読み取りのためのレーザ光に対して凹状になる部分がグルーブ３であり、凸状になる部分がランド４である。グルーブ３およびランド４にそれぞれピット２が形成され、ディジタルデータが記録される。
【００２８】
この発明の実施の第１の形態では、グルーブ３とランド４との光学的深さの差が、読み取りためのレーザビームの波長λに対して略λ／８になるように、光ディスク１が形成される。グルーブ３（またはランド４）の間隔は、記録トラックのトラックピッチの２倍とし、グルーブ３およびランド４にそれぞれピット２を形成する。
【００２９】
このように形成された光ディスク１に対するトラッキング方法について、図２を用いて説明する。光ディスク１の記録面に対して、波長λのレーザビームが例えばスポット１００のように照射される。トラッキングは、レーザビーム１００が光ディスク１の表面で反射された戻り光を、２分割された光検出器を用いて、スポット１００を左右に２分割した領域Ａおよび領域Ｂについてそれぞれ検出し、各々の差分を取ることで両極性のトラッキングエラー信号を得る、プッシュプル法により行う。
【００３０】
なお、トラッキングは、これに限らず、例えば受光面を４分割した光検出器の対角線差信号を用いた、ＤＰＤ（Ｄｉｆｆｅｒｅｎｔｉａｌ  Ｐｈａｓｅ  Ｄｅｔｅｃｔｉｏｎ）法により行ってもよい。
【００３１】
図２に一例が示される状態で、２分割光検出器により領域Ａおよび領域Ｂの戻り光を検出すると、例えばランド４に対してフォーカスが合っている場合、ランド４は、グルーブ３と深さが略λ／８だけ異ならされている。周知のように、プッシュプル法では、ピットの深さがλ／８のときに最大のトラッキングエラー信号を得ることができる。ランド４は、グルーブ３に対するピットと考えることができ、２分割光検出器では、領域Ａおよび領域Ｂの戻り光の差分をとることで、トラッキングエラー信号を得ることができる。
【００３２】
なお、上述の逆の場合、すなわち、グルーブ３とランド４との関係が入れ替わり、グルーブ３に対してトラッキングを行う場合も、同様にしてトラッキングエラー信号を得ることができる。トラッキングエラー信号は、各トラックの光学深さの異なる周期に基づき、記録トラックの２倍の長さの周期でトラッキングエラー信号が生成される。したがって、トラック毎に極性が反転したトラッキングエラー信号が得られることになる。
【００３３】
図３は、この実施の第１の形態による光ディスク１の作成方法を概略的に示す。先ず、図３Ａに一例が示されるように、記録トラックの２倍のトラック間隔でグルーブ３が形成されたランドグルーブ基板５０を製作する。グルーブ３およびランド４は、それぞれ記録マーク配置トラックとして用いる。そのため、グルーブ３およびランド４の幅は、それぞれ同程度とする。また、ランド４のグルーブ３に対する光学的深さは、この光ディスク１のトラッキング時に照射されるレーザビームの波長λに対して、略λ／８とされる。
【００３４】
ランドグルーブ基板５０に対して、スピンコート法などでフォトレジスト５１を例えば厚みが略λ／４になるように塗布する（図３Ｂ）。このフォトレジスト５１を塗布した基板５０に対して、カッティングマシンにより、記録データで変調されたレーザビームをグルーブ３およびランド４にそれぞれ照射し、フォトレジスト５１を露光する（図３Ｃ）。レーザビームの照射後、現像すると、露光部分５２が除去され、図３Ｄに一例が示されるような、グルーブ３およびランド４上にそれぞれピット２が形成された原盤が得られる。
【００３５】
以降、通常の光ディスク作製の際のマスタリングプロセスに従い、この原盤上に金属メッキなどを施しレプリカスタンパを作製し、基板成型用のスタンパを得る。このスタンパを使用して、圧縮形成や射出形成などの方法により、光ディスク１が作成される。
【００３６】
なお、上述では、グルーブ３とランド４との光学的深さの差が読み取りためのレーザビームの波長λに対して略λ／８になるように光ディスク１が形成されるとして説明したが、これはこの例に限定されない。グルーブ３とランド４との光学的深さの差は、略λ／８に限らず、略３λ／８、略５λ／８、・・・としてもよい。すなわち、グルーブ３とランド４との光学的深さの差は、ｎを自然数としたとき、略（２ｎ−１）×λ／８であればよい。
【００３７】
次に、この発明の実施の第２の形態について、図面を参照しながら説明する。図４は、この発明の実施の第２の形態による光ディスク１’の断面の一部を示す。上述の実施の第１の形態と同様に、この光ディスク１は、情報記録面に同心円状またはスパイラル状にトラックが形成され、トラックに対して設けられたピット２Ａおよび２Ｂによって情報が記録される。
【００３８】
この発明の実施の第２の形態では、ピットの深さをトラック毎に変調する。すなわち、隣接するトラックに配置されるピット２Ａおよび２Ｂは、読み取りためのレーザビームの波長λに対して、光学的深さが略λ／８だけ異ならされる。図４の例では、ピット２Ａがピット２Ｂよりも略λ／８だけ、深くされる。
【００３９】
上述したように、プッシュプル法では、ピット深さがλ／８の場合に、最大のトラッキング信号が得られる。したがって、このように、隣接するトラックのピットにλ／８だけ光学深さの差を持たせることで、トラッキングエラー信号のトラック毎の変調度が得られ、トラックピッチをトラックピッチ換算のカットオフ周波数より狭く設定しても、トラッキングエラー信号を得ることができる。
【００４０】
図５は、この実施の第２の形態による光ディスク１’の作成方法を概略的に示す。先ず、通常のフラットな基板６０上に対し、スピンコート法などでフォトレジスト５１を例えば厚みが略λ／４になるように塗布する（図５Ａ）。このフォトレジスト５１を塗布した基板６０に対して、カッティングマシンにより記録データで変調されたレーザビームを照射し、フォトレジスト５１を露光する。露光の際に、隣接するトラックにおいて形成されるピットの光学的深さが略λ／８の差を持つように、トラック毎に交互に露光パワーを制御する（図５Ｂ）。
【００４１】
例えば、ピット２Ａを形成する際には、露光パワーを大きく取り、基板６０にまで露光が達するようにする。一方、ピット２Ｂを形成する際には、ピット２Ａに対して光学深さが略λ／８の差を持つように、フォトレジスト５１の表面から所定の深さまで露光が達するように、露光パワーを制御する。
【００４２】
レーザビームの照射後、現像すると、露光部分５２が除去され、図５Ｃに一例が示されるような、光学的深さで略λ／８の差を有するピット２Ａおよび２Ｂがトラック毎に交互に形成された原盤が得られる。
【００４３】
以降、通常の光ディスク作製の際のマスタリングプロセスに従い、この原盤上に金属メッキなどを施しレプリカスタンパを作製し、基板成型用のスタンパを得る。このスタンパを使用して、圧縮形成や射出形成などの方法により、光ディスク１’が作成される。
【００４４】
なお、上述では、隣接するトラックにおいて形成されるピットの光学的深さの差が読み取りためのレーザビームの波長λに対して略λ／８になるように光ディスク１が形成されるとして説明したが、これはこの例に限定されない。隣接するトラックにおいて形成されるピットの光学的深さの差は、略λ／８に限らず、略３λ／８、略５λ／８、・・・としてもよい。すなわち、隣接するトラックにおいて形成されるピットの光学的深さの差は、ｎを自然数としたとき、略（２ｎ−１）×λ／８であればよい。
【００４５】
図６は、上述の実施の第１および第２の形態に共通して適用可能なカッティングマシンの一例の構成を、概略的に示す。カッティングマシンは、例えばＡｒイオンレーザ、Ｈｅ−ＣｄレーザやＫｒイオンレーザなどのガスレーザや半導体レーザであるレーザ４１と、このレーザ４１から出射されたレーザ光を変調する音響光学効果型または電気光学型の光変調器４２と、この光変調器４２を通過したレーザ光を集光し、感光物質であるフォトレジスタが塗布されたディスク状のガラス基板４４のフォトレジスト面に照射する対物レンズなどを有する記録手段である光ピックアップ４３などから構成される。
【００４６】
光変調器４２は、端子４６から供給される記録信号に従ってレーザ４１から出射されたレーザ光を変調する。上述した実施の第２の形態による光ディスク１’を作製する際には、図示されない制御部から供給される制御信号に基づき、トラック毎にレーザ光のパワーが制御される。そして、カッティングマシンは、スピンドルモータ４５により回転駆動される、フォトレジスト５１が塗布されたガラス基板４４にこの変調されたレーザ光を照射することによって、フォトレジスト５１を露光し、データが記録されたマスタを作成する。
【００４７】
なお、図示しないが、カッティングマシンは、光ピックアップ４３とガラス基板４４との距離を一定に保つ制御、トラッキング制御、スピンドルモータ４５の回転駆動動作の制御などを行うサーボ回路を有している。
【００４８】
光変調器４２から出射された変調されたレーザビームによって、ガラス基板４４上のフォトレジストが露光される。このように露光がなされたガラス基板４４を現像し、金属メッキ処理などを施すことによりレプリカスタンパを作製し、基板成型用のスタンパを得る。このスタンパを使用して、圧縮形成や射出形成などの方法により、光ディスク１または１’が作成される。
【００４９】
次に、上述したこの発明の実施の第１および第２の形態による光ディスク１および１’に対して共通して用いることができる光ディスク再生装置の一例について、図７を参照して説明する。図７において、上述した光ディスク１あるいは光ディスク１’に対応する光ディスク１０は、スピンドルモータ１１により回転させられる。光学ヘッドによりレーザ光で光ディスク１０に形成されたトラックをトレースすることによって、データが再生される。
【００５０】
レーザ駆動回路１４によってレーザ光源１５例えば半導体レーザが駆動され、所定の波長のレーザ光がレーザ光源１５から出力される。レーザ光源１５からのレーザ光がコリメータレンズ１６によって平行光に変換され、ビームスプリッタ１７および対物レンズ１８を介して光ディスク１０上に照射される。光ディスク１０からの戻り光がビームスプリッタ１７から集光レンズ１９を介してフォトディテクタ２０に入射される。
【００５１】
フォトディテクタ２０の出力がＩ（電流）Ｖ（電圧）変換回路２２を介してマトリックス回路２３に供給される。マトリックス回路２３において、４分割フォトディテクタ２０の分割受光部の出力信号が演算される。
【００５２】
例えば非点収差法によりフォーカスエラーを検出し、フォーカスエラー信号ＦＥが形成される。また、マトリックス回路２３で求められたＭＯ信号がデータ検出回路２４に供給され、プッシュプル信号ＰＰがトラッキングエラー生成回路２５に供給される。データ検出回路２４からデータ情報エリアから再生されたデータが得られる。トラッキングエラー生成回路２５は、プッシュプル信号ＰＰに基づき領域Ａおよび領域Ｂの差分を求め、トラッキングエラー信号を出力する。フォーカスエラー信号ＦＥおよびトラッキングエラー信号が位相補償回路２６に供給される。
【００５３】
位相補償回路２６は、サーボ系の位相補償のために設けられている。位相補償回路２６の出力が２軸駆動回路２７に供給される。対物レンズ１８は、ディスク径方向（すなわち、トラッキング方向）とディスクの信号面に対して直交して上下する方向（すなわち、フォーカス方向）とに変位可能とされている。２軸駆動回路２７は、レンズアクチュエータ（図示せず）を駆動して、トラッキングエラーの補正とフォーカスエラーの補正とを行う。
【００５４】
さらに、図示しないが、スピンドルモータ１１を制御するスピンドルモータサーボ制御回路、並びに光学ヘッドのディスク径方向の移動を制御するスレッドサーボ制御回路が設けられている。例えば、スピンドルモータサーボ制御回路からスピンドルモータ１１の回転情報を取り出し、トラッキングエラー生成回路２５に供給することで、トラッキングエラー生成回路２５は、トラック毎に極性が反転するトラッキングエラー信号に追従した処理を行うことができる。
【００５５】
なお、上述では、この発明の実施の第１および第２の形態において適用されるディスクが光ディスクであるとして説明したが、実際には、この光ディスクは、例えばＭＳＲ（Ｍａｇｎｅｔｉｃａｌｌｙ  Ｉｎｄｕｓｅｄ  Ｓｕｐｅｒ  Ｒｅｓｏｌｕｔｉｏｎ：磁気超解像）などの方法でデータを再生するようにされた光磁気ディスクを用いることが考えられる。すなわち、トラッキングは、上述したような光学的手法により行い、データの抽出は、この磁気超解像技術を用いて行う。
【００５６】
磁気超解像技術は、所定の温度になると、切断層が磁気的にニュートラルな状態になり、再生層に転写されていた磁壁が移動することで、微少なマークがビームスポットの中で大きく見えるようになることを利用したものである。磁気超解像技術を使うことにより、ディスクの線密度方向の記録容量を向上することができる。
【００５７】
磁気超解像技術を用いたディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００５８】
【発明の効果】
以上説明したように、この発明による光ディスクでは、トラック密度が光学的カットオフ周波数で示される密度以上であってもトラッキングエラー信号の検出を行えるようにしている。そのため、読み取り時に照射されるレーザビームがトラック密度に対して光学的に限界を超えたスポット径であっても、適切にトラッキングエラー信号を生成することができ、適正にトラッキングエラーを検出できる効果がある。
【００５９】
そのため、記録トラックピッチを短縮して記録密度を向上させることができる効果がある。
【図面の簡単な説明】
【図１】この発明の実施の第１の形態による光ディスクの断面の一部を拡大して示す略線図である。
【図２】この発明の実施の第１の形態により形成された光ディスクに対するトラッキング方法について説明するための図である。
【図３】この実施の第１の形態による光ディスクの作成方法を概略的に示す略線図である。
【図４】この発明の実施の第２の形態による光ディスクの断面の一部を拡大して示す略線図である。
【図５】この実施の第２の形態による光ディスクの作成方法を概略的に示す略線図である。
【図６】カッティングマシンの一例の構成を概略的に示すブロック図である。
【図７】光ディスク再生装置の一例の構成を概略的に示すブロック図である。
【図８】各種光ディスクのトラックピッチと分解能に関する諸条件を一覧して示す略線図である。
【符号の説明】
１，１’・・・光ディスク、２，２Ａ，２Ｂ・・・ピット、３・・・グルーブ、４・・・ランド、２０・・・フォトディテクタ、２５・・・トラッキングエラー生成回路、２６・・・位相補償回路、５０・・・ランドグルーブ基板、５１・・・フォトレジスト、６０・・・基板
【図１】
2004227652.tif 000003
【図２】
2004227652.tif 000004
【図３】
2004227652.tif 000005
【図４】
2004227652.tif 000006
【図５】
2004227652.tif 000007
【図６】
2004227652.tif 000008
【図７】
2004227652.tif 000009
【図８】
2004227652.tif 000010